(57)【要約】【課題】構造体に取り付けられた外装材の防水性能を向上させることができる取付具、取付具と防水材とのセット、壁構造、及び外装材の施工方法を提供する。【解決手段】取付具１０は、構造体８に固定可能な固定部１５と、固定部１５から突出するように設けられた支承片１３と、支承片１３の先端部位１３Ａから直接下向きに屈曲した下係止片１２と、支承片１３の先端部位１３Ａから直接上向きに屈曲し、支承片１３の幅方向において下係止片１２の両側に位置する一対の上係止片１１Ｌ、１１Ｒと、下係止片１２に設けられ、下係止片１２よりも下方に延びた第１防水材７０と、を備える。第１防水材７０の幅方向の長さＷ７０は、下係止片１２の幅方向の長さＷ１２よりも小さい。下係止片１２の表面１２Ｆは、第１防水材７０の両側において露出する。【選択図】図６
2018150768.tif 000002
【特許請求の範囲】
【請求項１】
構造体に外装材を取り付けるための取付具であって、
前記構造体に固定可能な固定部と、
前記固定部から突出するように設けられた支承片と、
前記支承片の先端部位から直接下向きに屈曲した下係止片と、
前記支承片の前記先端部位から直接上向きに屈曲し、前記支承片の幅方向において前記下係止片の両側に位置する一対の上係止片と、
前記下係止片に設けられ、前記下係止片よりも下方に延びた第１防水材と、を備え、
前記第１防水材の前記幅方向の長さは、前記下係止片の前記幅方向の長さよりも小さく、
前記下係止片の表面は、前記第１防水材の両側において露出していることを特徴とする取付具。
【請求項２】
前記第１防水材の前記下係止片よりも下方に延びた部分の裏面には、接着層が形成されている請求項１記載の取付具。
【請求項３】
前記支承片には、前記幅方向において前記第１防水材の両側に、前記第１防水材と離れて一対の第２防水材が設けられており、
前記下係止片の前記表面は、前記第１防水材と両前記第２防水材の間で露出している請求項１記載の取付具。
【請求項４】
構造体に外装材を取り付けるための取付具と防水材とのセットであって、
前記構造体に固定可能な固定部と、
前記固定部から突出するように設けられた支承片と、
前記支承片の先端部位から直接下向きに屈曲した下係止片と、
前記支承片の前記先端部位から直接上向きに屈曲し、前記支承片の幅方向において前記下係止片の両側に位置する一対の上係止片と、を有する取付具と、
前記下係止片よりも下方に延びた状態で前記下係止片に設けることが可能な防水材と、を備え、
前記防水材の前記幅方向の長さは、前記下係止片の前記幅方向の長さよりも小さく設定されていることを特徴とする取付具と防水材とのセット。
【請求項５】
建物の構造体に対し、取付具を用いて外装材を取り付けた壁構造であって、
前記外装材の上端部は、前記外装材の表面から裏面に向かって凹み、かつ水平方向に延びた裏側上下接合部を有し、
前記取付具は、
前記構造体に固定される固定部と、
前記固定部から突出するように設けられた支承片と、
前記支承片の先端部位から直接下向きに屈曲して前記裏側上下接合部を係止する下係止片と、
前記支承片の前記先端部位から直接上向きに屈曲し、前記支承片の幅方向において前記下係止片の両側に位置する一対の上係止片と、を備え、
前記下係止片は、水平方向で隣接する前記外装材同士の前記裏側上下接合部を係止しており、
前記下係止片には、前記下係止片よりも下方に延びた第１防水材が設けられ、
前記第１防水材の前記幅方向の長さは、前記下係止片の前記幅方向の長さよりも小さく、
前記下係止片の表面は、前記第１防水材の両側において露出しており、
前記第１防水材の前記係止片よりも下方に延びた部分は、前記下係止片に係止された前記裏側上下接合部同士の突合せ部分を覆っていることを特徴とする壁構造。
【請求項６】
前記外装材の下端部は、前記外装材の前記裏面から前記表面に向かって凹み、かつ水平方向に延び、前記裏側上下接合部と嵌合可能な表側上下接合部を有し、
前記裏側上下接合部及び前記表側上下接合部の少なくとも一方には、前記裏側上下接合部と前記表側上下接合部とが嵌合する状態で、水平方向に延びつつ双方に密着するコーキングが設けられ、
前記第１防水材の前記下係止片よりも下方に延びた部分は、前記コーキングを越えて下方に延びている請求項５記載の壁構造。
【請求項７】
建物の構造体に対し、取付具を用いて外装材を取り付ける外装材の施工方法であって、
前記外装材の上端部は、前記外装材の表面から裏面に向かって凹み、かつ水平方向に延びた裏側上下接合部を有し、
前記取付具は、
前記構造体に固定可能な固定部と、
前記固定部から突出するように設けられた支承片と、
前記支承片の先端部位から直接下向きに屈曲して前記裏側上下接合部を係止可能な下係止片と、
前記支承片の前記先端部位から直接上向きに屈曲し、前記支承片の幅方向において前記下係止片の両側に位置する一対の上係止片と、を備え、
前記下係止片によって、水平方向で隣接する前記外装材同士の前記裏側上下接合部を係止し、その状態で、前記固定部を前記構造体に固定する第１工程と、
前記下係止片の前記幅方向の長さよりも小さい防水材によって、前記下係止片と、前記下係止片に係止された前記裏側上下接合部同士の突合せ部分を覆うとともに、前記防水材の両側において前記下係止片の表面を露出させる第２工程と、を備えていることを特徴とする外装材の施工方法。
【発明の詳細な説明】
【技術分野】
【０００１】
本発明は、壁構造に関する。
【背景技術】
【０００２】
従来、構造体に外装材を取り付けるための取付具には、特許文献１の図２、及び特許文献２の図５に開示されたようなものがある。
【０００３】
これらの取付具は、幅方向の長さが略等しい上係止片及び下係止片が支承片に一体に形成されている。上係止片及び下係止片には、略矩形状の防水材が設けられている。防水材の幅方向の長さも、上係止片及び下係止片の幅方向の長さと略等しい。防水材は、上係止片及び下係止片の全体に位置するとともに、下係止片よりも下方に延びるように設けられている。
【０００４】
これらの取付具を用いて構造体に取り付けられる外装材は、上端部が裏側上下接合部を有し、下端部が表側上下接合部を有する場合がある。裏側上下接合部は、外装材の上端部において、外装材の表面から裏面に向かって凹み、かつ水平方向に延びる、所謂「下実部」である。表側上下接合部は、外装材の下端部において、外装材の裏面から表面に向かって凹み、かつ水平方向に延びる、所謂「上実部」である。
【０００５】
これらの取付具によって、そのような外装材が構造体に取り付けられると、取付具の下係止片は、裏側上下接合部同士の突合せ部分を係止する。そして、防水材は、上係止片及び下係止片から、下係止片に係止された裏側上下接合部同士の突合せ部分にかけて、配置される。また、防水材は、上下方向で隣接する外装材の表側上下接合部と裏側上下接合部との間に介在する。このため、外装材の表面側から雨水等がその突合せ部分に向けて侵入する場合に、防水材がその雨水等を堰き止めることができるようになっている。
【先行技術文献】
【特許文献】
【０００６】
【特許文献１】特開平６−１５８８１４号公報
【特許文献２】特開平１１−１５９１０２号公報
【発明の概要】
【発明が解決しようとする課題】
【０００７】
しかし、上記従来の取付具では、外装材の裏面を伝って上係止片及び下係止片に向かって垂れる雨水等も、幅方向の長さが上係止片及び下係止片の幅方向の長さと略等しい防水材によって堰き止められてしまう。このため、その雨水等が上係止片及び支承片を経由して構造体に侵入するおそれがある。
【０００８】
本発明は、上記従来の実情に鑑みてなされたものであって、構造体に取り付けられた外装材の防水性能を向上させることができる取付具、取付具と防水材とのセット、壁構造、及び外装材の施工方法を提供することを解決すべき課題としている。
【課題を解決するための手段】
【０００９】
本発明の第１の態様の取付具は、構造体に外装材を取り付けるための取付具であって、
前記構造体に固定可能な固定部と、
前記固定部から突出するように設けられた支承片と、
前記支承片の先端部位から直接下向きに屈曲した下係止片と、
前記支承片の前記先端部位から直接上向きに屈曲し、前記支承片の幅方向において前記下係止片の両側に位置する一対の上係止片と、
前記下係止片に設けられ、前記下係止片よりも下方に延びた第１防水材と、を備え、
前記第１防水材の前記幅方向の長さは、前記下係止片の前記幅方向の長さよりも小さく、
前記下係止片の表面は、前記第１防水材の両側において露出していることを特徴とする。
【００１０】
この取付具によって、裏側上下接合部及び表側上下接合部を有する外装材が構造体に取り付けられると、下係止片は、水平方向で隣接する外装材同士の裏側上下接合部を係止し、支承片は、上側に位置する外装材を支承し、一対の上係止片は、上側に位置する外装材の表側上下接合部を係止する。
【００１１】
ここで、下係止片には、下係止片よりも下方に延びた第１防水材が設けられており、下係止片は、一対の上係止片に挟まれる位置に設けられている。このため、下係止片から、下係止片に係止された裏側上下接合部同士の突合せ部分にかけて、第１防水材を配置することができる。そして、下係止片とその突合せ部分とが略同一方向に延びているので、第１防水材は、その突合せ部分に沿って配置されることとなる。これにより、第１防水材は、その突合せ部分に密着することができる。また、第１防水材は、上下方向で隣接する外装材の表側上下接合部と裏側上下接合部との間に介在する。その結果、この取付具では、外装材の表面側から雨水等がその突合せ部分に向けて侵入する場合に、下係止片よりも下方に延びた第１防水材がその雨水等を堰き止めることができる。
【００１２】
また、第１防水材の幅方向の長さが下係止片の幅方向の長さよりも小さく、下係止片の表面が第１防水材の両側において露出している。これにより、上係止片に上側に位置する外装材を係止すると、第１防水材の両側には、上側に位置する外装材の裏面と、下係止片の表面との間に隙間が形成される。このため、外装材の裏面を伝って下係止片に向かって垂れる雨水等は、第１防水材に堰き止められることなく、第１防水材の両側に形成された隙間を通過し、外装材の裏側上下接合部を経由して、外装材の表面側に排出されることとなる。その結果、この取付具では、外装材の裏面側を伝って垂れる雨水等が支承片を経由して構造体に侵入することを抑制できる。
【００１３】
したがって、本発明の第１の態様の取付具では、構造体に取り付けられた外装材の防水性能を向上させることができる。
【発明の効果】
【００１４】
本発明の取付具、取付具と防水材とのセット、壁構造、及び外装材の施工方法では、構造体に取り付けられた外装材の防水性能を向上させることができる。
【図面の簡単な説明】
【００１５】
【図１】図１は、実施の形態１に係り、複数の外壁板と取付具との位置関係を示す正面図である。
【図２】図２は、実施の形態１の外壁板の斜視図である。
【図３】図３は、実施の形態１に係り、外壁板同士の組み付け構成を示す部分斜視図である。
【図４】図４は、実施の形態１に係り、取付具の斜視図である。
【図５】図５は、実施の形態１に係り、取付具を用いて外壁板の上端部を係止する構成を示す部分斜視図である。
【図６】図６は、実施の形態１に係り、取付具を用いて外壁板の上端部と、別の外壁板の下端部とを係止する構成を示す部分斜視図である。
【図７】図７は、図５のＶＩＩ−ＶＩＩ断面を示す部分断面図である。
【図８】図８は、図７のＶＩＩＩ−ＶＩＩＩ断面を示す部分断面図である。
【図９】図９は、実施の形態２に係り、複数の外壁板と取付具との位置関係を示す正面図である。
【図１０】図１０は、実施の形態３に係り、取付具の斜視図である。
【発明を実施するための形態】
【００１６】
以下、本発明を具体化した実施の形態１〜３を図面を参照しつつ説明する。なお、図１において、紙面手前側が屋外側であり、紙面奥側が屋内側である。また、図１において、垂直上方向を上と表示し、垂直下方向を下と表示する。さらに、図１の屋外から屋内に向う方向において水平左方向を左と表示し、水平右方向を右と表示する。そして、図２以降の各図に示す各方向は、図１に対応させて表示する。
【００１７】
（実施の形態１）
図１に示すように、実施の形態１の壁構造は、壁構造の具体的態様の一例である。この壁構造は、住宅、施設、倉庫等の建物を構成する構造体８に対し、図２及び図３等に示す複数の外壁板２を取り付けたものである。外壁板２は、外装材の一例である。外壁板２は、それ自体が高い強度や剛性を有して建物の外壁を構成する板材である。なお、外装材は外壁板に限定されず、例えば、建物を外装する化粧板、屋内用構造パネル等であってもよい。
【００１８】
図１に示すように、構造体８は、例えば、木造軸組構法によって建築されるものである。構造体８は、複数の構造部材によって構成されている。構造部材には、左右方向に所定の間隔を有して並ぶ複数の柱材や柱材間に配置される間柱等の柱部材９が含まれる。図示は省略するが、柱部材９の屋外方向を向く外面には、胴縁と呼ばれる支持部材が図示しない止めネジや釘等によって固定されている。これらの支持部材も構造部材に含まれる。また、その支持部材と柱部材９との間には、防水シートが敷設されている。なお、構造体８は、本実施の形態の構成に限定されず、木造枠組壁構法等によって建築されてもよい。また、壁構造を構成する構造体は、例えば、鉄骨造、鉄筋コンクリート造、レンガ造等の躯体であってもよい。
【００１９】
図２に示すように、外壁板２は、四辺形状、より具体的には、左右方向に長い略矩形状の板材である。本実施の形態では、外壁板２は、セメントを含む窯業系材料からなる。なお、外壁板２の材質や形状は上記には限定されない。例えば、外壁板２の材質は、金属系材、木質系材、樹脂系材等を適宜選択できる。また、外壁板２の形状は、四辺形状で上下方向に長い略矩形形状の板材等を適宜選択できる。
【００２０】
外壁板２の表面２Ｆは、例えばレンガ柄等のデザインが施された外装面となっている。外壁板２の左端部には、表側左右接合部２１が形成されている。外壁板２の右端部には、裏側左右接合部２２が形成されている。外壁板２の下端部には、表側上下接合部２３が形成されている。外壁板２の上端部には、裏側上下接合部２４が形成されている。なお、図２では、外壁板２の大きさに対して、表側左右接合部２１、裏側左右接合部２２、表側上下接合部２３及び裏側上下接合部２４の大きさが誇張して図示されている。
【００２１】
図２及び図３に示すように、表側左右接合部２１は、外壁板２の裏面２Ｂから表面２Ｆに向かって段状に形成され、垂直方向、すなわち、外壁板２の左端部に沿って延びている。
【００２２】
裏側左右接合部２２は、外壁板２の表面２Ｆから裏面２Ｂに向かって段状に形成され、垂直方向、すなわち、外壁板２の右端部に沿って延びている。裏側左右接合部２２における屋外方向を向く平坦面には、コーキング２２Ｓが設けられている。コーキング２２Ｓは、裏側左右接合部２２に沿って直線状に配設されている。なお、コーキングは必須ではなく、コーキング２２Ｓを省略することもできる。
【００２３】
表側上下接合部２３は、外壁板２の裏面２Ｂから表面２Ｆに向かって段状に形成され、左右方向、すなわち、外壁板２の下端部に沿って延びている。表側上下接合部２３には、上向きに略テーパ状に凹む係合凹部２３Ａが形成されている。
【００２４】
裏側上下接合部２４は、外壁板２の表面２Ｆから裏面２Ｂに向かって段状に形成され、左右方向、すなわち、外壁板２の上端部に沿って延びている。裏側上下接合部２４における屋外方向を向く平坦面には、コーキング２４Ｓが設けられている。コーキング２４Ｓは、裏側上下接合部２４に沿って直線状に配設されている。なお、コーキングは必須ではなく、コーキング２４Ｓを省略することもできる。裏側上下接合部２４には、コーキング２４Ｓよりも上方において上向きに略テーパ状に突出する係合凸部２４Ａが形成されている。
【００２５】
図１に示すように、右側の外壁板２の表側左右接合部２１と、左側の外壁板２の裏側左右接合部２２とが嵌合することによって、左右方向に隣接する外壁板２同士の間に、左右合決り部が形成される。下側の外壁板２の裏側上下接合部２４と、上側の外壁板２の表側上下接合部２３とが嵌合することによって、上下方向に隣接する外壁板２同士の間に、左右方向に延びる上下合決り部が形成される。すなわち、各外壁板２は、表側左右接合部２１、裏側左右接合部２２、表側上下接合部２３及び裏側上下接合部２４を備える、いわゆる「四方合い決り構造」である板材である。
【００２６】
実施の形態１の取付具１０は、構造部材としての各柱部材９に固定されて、構造体８に対し、複数の外壁板２を上下方向及び左右方向に隣接するように取り付けるためのものである。取付具１０は、取付具の具体的態様の一例である。
【００２７】
図１に示す外壁板２の取付構成では、上下方向で隣り合う各外壁板２によって形成される複数の横目地２Ｈは、左右方向に直線状に連続している。また、左右方向で隣り合う各外壁板２によって形成される複数の縦目地２Ｖは、上下方向に直線状に連続している。つまり、外壁板２は、所謂、いも張りされている。
【００２８】
図４に示すように、取付具１０は、鉄やステンレススチール等の金属板が打ち抜き加工、折り曲げ加工及びプレス加工等されることによって製造される。なお、取付具１０の材質や製造方法は上記に限定されず、各種の材料や、製造方法を適宜選択できる。
【００２９】
ここで、取付具１０の姿勢について、図１及び図５〜図８に示すように、取付具１０の固定部１５が構造体８を構成する柱部材９等の構造部材に固定された状態を基準とする。具体的には、取付具１０の表側は、屋外方向を向き、取付具１０の裏側は、屋内方向を向く。取付具１０の幅方向は、左右方向となる。
【００３０】
図４に示すように、実施の形態１の取付具１０は、第１防水材７０及び一対の第２防水材８０Ｌ、８０Ｒが装着された状態で商品として流通し、施工現場にて使用されるものである。
【００３１】
また、実施の形態１の取付具１０と第１防水材７０とのセットは、一対の第２防水材８０Ｌ、８０Ｒのみが装着された取付具１０と、剥離シート７０Ｓが付いた別部材としての第１防水材７０とがセットで商品として流通し、施工現場にて使用されるものである。
【００３２】
第１防水材７０及び第２防水材８０Ｌ、８０Ｒは、例えば、エチレンプロピレンゴム等の発泡体、防水シール等である。
【００３３】
取付具１０は、金属板がプレス加工された部分と、そのプレス加工された部分を囲む、平坦な固定部１５とを含んでいる。取付具１０におけるプレス加工された部分は、主膨出部３０、下膨出部３５及び上膨出部３８とされている。固定部１５の略矩形状の周縁部１５Ｅは、主膨出部３０、下膨出部３５及び上膨出部３８を囲っている。
【００３４】
柱部材９等と接触する取付具１０の裏側を向く面は、固定部１５の基準面１５Ｓとされている。固定部１５の周縁部１５Ｅの上辺から下向きに延びる複数のＵ字状固定部１５Ｂも、固定部１５の一部とされている。各Ｕ字状固定部１５Ｂには、固定孔１５Ｈが貫設されている。固定孔１５Ｈは、ネジ１０Ｂや釘等の締結具が挿通されて取付具１０を柱部材９等に固定するためのものである。
【００３５】
主膨出部３０は、取付具１０の上下方向の中間部に位置し、固定部１５から取付具１０の表側に膨出している。主膨出部３０は、下膨出部３５及び上膨出部３８よりも取付具１０の表側に膨出している。主膨出部３０は、固定部１５と平行に延びる先端面を有し、この主膨出部３０の先端面が当接面３１とされている。
【００３６】
下膨出部３５は、固定部１５から取付具１０の表側に膨出し、かつ主膨出部３０の下方に隣接している。下膨出部３５は、固定部１５と略平行に延びる先端面を有し、この下膨出部３５の先端面が立設面３６とされている。立設面３６の上端縁は、主膨出部３０の下面に接続している。
【００３７】
上膨出部３８は、固定部１５から取付具１０の表側に膨出し、かつ主膨出部３０の上方に隣接している。上膨出部３８は、傾斜面３９を有しており、上膨出部３８の上面は、周縁部１５Ｅの上部分と各Ｕ字状固定部１５Ｂとに沿って折れ曲がる屈曲面である。傾斜面３９は、各Ｕ字状固定部１５Ｂを覆わないようにプレス加工されており、これにより、上膨出部３８は、各固定孔１５Ｈに幅方向において隣接している。傾斜面３９の下端縁は、主膨出部３０の上面に接続している。
【００３８】
主膨出部３０、下膨出部３５及び上膨出部３８のそれぞれの右面は、互いに略面一に接続して平滑な連続面を形成している。主膨出部３０、下膨出部３５及び上膨出部３８のそれぞれの左面も同様である。主膨出部３０の当接面３１は、下膨出部３５及び上膨出部３８よりも取付具１０の表側に突出している。
【００３９】
主膨出部３０には、矩形穴３０Ｈと、矩形穴３０Ｈの周りで切り起こされた支承片１３と、支承片１３の先端部位１３Ａから直接下向きに屈曲する下係止片１２と、支承片１３の先端部位１３Ａから直接上向きに屈曲する一対の上係止片１１Ｌ、１１Ｒとが形成されている。
【００４０】
より詳しくは、主膨出部３０の当接面３１の中央に略Ｕ字状溝が形成され、その略Ｕ字状溝の内側の板状片が取付具１０の表側に向かって切り起こされることにより、矩形穴３０Ｈが当接面３１の中央に開口する。当接面３１は、支承片１３、下係止片１２及び一対の上係止片１１Ｌ、１１Ｒを囲む略矩形環状に形成される。切り起こされて当接面３１よりも取付具１０の表側に突出する部分のうち、当接面３１に近い側で略水平に延びる部分が支承片１３とされる。下係止片１２は、支承片１３の先端部位１３Ａにおける幅方向の中央で直接下向きに屈曲する板状片である。左方の上係止片１１Ｌは、支承片１３の先端部位１３Ａにおける下係止片１２から左方に離間する位置で直接上向きに屈曲する板状片である。右方の上係止片１１Ｒは、支承片１３の先端部位１３Ａにおける下係止片１２から右方に離間する位置で直接上向きに屈曲する板状片である。つまり、上係止片１１Ｌ、１１Ｒは、支承片１３の幅方向において下係止片１２の両側に位置している。
【００４１】
下膨出部３５には、立設片１９が形成されている。立設片１９は、下膨出部３５の立設面３６の中央よりもやや左寄りの位置に略Ｃ字状溝が形成され、その略Ｃ字状溝の内側の板状片が取付具１０の表側に向かって切り起こされてなる。
【００４２】
支承片１３には、保持片１８Ｌ、１８Ｒが設けられている。左方の保持片１８Ｌは、下係止片１２と、左方の上係止片１１Ｌとの間で、支承片１３の先端部位１３Ａから上向きに屈曲する小片である。右方の保持片１８Ｒは、下係止片１２と、右方の上係止片１１Ｒとの間で、支承片１３の先端部位１３Ａから上向きに屈曲する小片である。
【００４３】
第１防水材７０は、例えば、エチレンプロピレンゴム等の発泡体、防水シール等である。第１防水材７０は、上下方向に長く延びる略矩形片である。第１防水材７０の幅方向の長さＷ７０は、下係止片１２の幅方向の長さＷ１２よりも小さく設定されている。第１防水材７０の幅方向の長さＷ７０の一例としては、下係止片１２の幅方向の長さＷ１２の１／３〜１／２程度が挙げられるが、これに限定されるものではない。
【００４４】
第１防水材７０の裏面の全面には、接着層７９が形成されている。第１防水材７０が取付具に装着されていない状態では、接着層７９の全面は、剥離シート７０Ｓによって保護されている。なお、図４では、接着層７９の厚みが誇張して図示されている。
【００４５】
実施の形態１の取付具１０では、第１防水材７０は、下係止片１２に設けられ、下係止片１２よりも下方に延びている。第１防水材７０の下係止片１２に設けられる部分を第１部分７１とする。第１防水材７０の下係止片１２よりも下方に延びた部分を第２部分７２とする。
【００４６】
第１防水材７０の第１部分７１は、接着層７９によって、下係止片１２の表面１２Ｆに貼り付けられている。また、第１防水材７０の第１部分７１は、支承片１３の先端部位１３Ａで屈曲して固定部１５に向かって延び、接着層７９によって、支承片１３の上面に貼り付けられている。第１防水材７０の第１部分７１は、支承片１３の幅方向の中央で、下係止片１２の表面１２Ｆと、支承片１３の上面とに貼り付けられている。第１防水材７０の幅方向の長さＷ７０が下係止片１２の幅方向の長さＷ１２よりも小さいことにより、下係止片１２の表面１２Ｆは、第１防水材７０の第１部分７１の両側において露出している。第１部分７１の左方で露出している下係止片１２の表面が１２ＦＬであり、第１部分７１の右方で露出している下係止片１２の表面が１２ＦＲである。
【００４７】
第１防水材７０の第２部分７２の裏面に形成された接着層７９は、下係止片１２よりも下方において、剥離シート７０Ｓによって保護されている。
【００４８】
一対の第２防水材８０Ｌ、８０Ｒは、例えば、エチレンプロピレンゴム等の発泡体である。左方の第２防水材８０Ｌは、両面テープ等によって、左方の保持片１８Ｌに貼り付けられている。右方の第２防水材８０Ｒは、両面テープ等によって、右方の保持片１８Ｒに貼り付けられている。つまり、一対の第２防水材８０Ｌ、８０Ｒは、支承片１３の幅方向において第１防水材７０の第１部分７１の両側に、第１防水材７０の第１部分７１と離れて設けられている。そして、下係止片１２の表面１２Ｆは、第１防水材７０と両第２防水材８０Ｌ、８０Ｒの間で露出している。第１防水材７０と左方の第２防水材８０Ｌの間で露出している下係止片１２の表面が１２ＦＬであり、第１防水材７０と右方の第２防水材８０Ｒとの間で露出している下係止片１２の表面が１２ＦＲである。
【００４９】
また、実施の形態１の取付具１０と第１防水材７０とのセットでは、第１防水材７０は、下係止片１２に設けられておらず、接着層７９の全面が剥離シート７０Ｓに覆われた別部材となっている。そして、施工現場において、第１防水材７０の第１部分７１の裏面の接着層７９から剥離シート７０Ｓが剥がされて、第１部分７１が支承片１３の幅方向の中央で、下係止片１２の表面１２Ｆと、支承片１３の上面とに貼り付けられ、第１防水材７０の第２部分７２が下係止片１２よりも下方に延びた状態となる。この場合でも、第１部分７１の左方に露出している下係止片１２の表面１２ＦＬと、第１部分７１の右方に露出している下係止片１２の表面１２ＦＲとを設けることが可能である。
【００５０】
次に、本実施の形態の取付具１０による外壁板２の施工方法を説明する。図５〜図８に示すように、この施工方法は、第１工程、第２工程及び第３工程を備えている。
【００５１】
図５に示すように、第１工程では、取付具１０の基準面１５Ｓを柱部材９等の構造部材に当接させ、かつ当接面３１と外壁板２の裏面２Ｂとを当接させながら、取付具１０を下方に移動させる。この際、取付具１０の立設片１９を左右方向で隣接する外壁板２同士の間に進入させ、外壁板２同士の縦目地２Ｖが支承片１３の下側に位置する状態にする。
【００５２】
これにより、下係止片１２が外壁板２の裏側上下接合部２４の係合凸部２４Ａに当接する。そして、締結具としてのネジ１０Ｂを固定孔１５Ｈに挿通し、柱部材９にねじ込むことにより、取付具１０は、柱部材９に固定された状態となる。その結果、取付具１０の下係止片１２は、左右方向で隣接する外壁板２同士の裏側上下接合部２４を係止する。この際、左右方向で隣接する外壁板２同士の間に進入した立設片１９は、外壁板２の横ずれを防止する。
【００５３】
図８に示すように、当接面３１における支承片１３よりも下方に位置する部分が外壁板２の裏面２Ｂに当接することにより、外壁板２は、屋内方向に向かって位置ずれしないように規制される。その結果、構造体８と外壁板２の裏面２Ｂとの間に、通気空間Ｓ１が確保される。
【００５４】
次に、図５及び図７に示すように、第２工程では、第１防水材７０の第１部分７１によって、下係止片１２を覆う。また、第１防水材７０の第２部分７２によって、下係止片１２に係止された裏側上下接合部２４同士の突合せ部分２４Ｊを覆う。それとともに、第１防水材７０の第１部分７１の両側であって両第２防水材８０Ｌ、８０Ｒの間で、下係止片１２の表面１２Ｆを露出させる。第１部分７１と左方の第２防水材８０Ｌの間で露出している下係止片１２の表面が１２ＦＬであり、第１部分７１と右方の第２防水材８０Ｒとの間で露出している下係止片１２の表面が１２ＦＲである。この際、図５に示すように、第１防水材７０の第２部分７２は、コーキング２４Ｓを越えて下方に延びた状態で、接着層７９によって、裏側上下接合部２４同士の突合せ部分２４Ｊに接着される。
【００５５】
なお、第２工程のうちの第１防水材７０の第１部分７１によって下係止片１２を覆う作業は、実施の形態１の取付具１０では施工前に完了しているが、実施の形態１の取付具１０及び第１防水材７０のセットでは施工時に実施される。
【００５６】
次に、図６及び図８に示すように、第３工程では、その外壁板２の上方に、次の外壁板２を取り付ける。この際、上側の外壁板２同士の縦目地２Ｖが支承片１３の上側に位置するように、外壁板２が配置される。これにより、上側に位置する外壁板２の表側上下接合部２３の係合凹部２３Ａは、取付具１０の上係止片１１Ｌ、１１Ｒによって係止される。支承片１３は、上側の外壁板２の下端部に下方から接触することによって、上側の外壁板２を支承する。
【００５７】
これにより、下側の外壁板２の裏側上下接合部２４と、上側の外壁板２の表側上下接合部２３とが嵌合した状態となる。この状態で、コーキング２４Ｓは、左右方向に延びつつ、裏側上下接合部２４と表側上下接合部２３とに密着する。第１防水材７０は、第２部分７２がコーキング２４Ｓを越えて下方に延びた状態で、上下方向で隣接する外壁板２の表側上下接合部２３と裏側上下接合部２４との間に介在する。
【００５８】
図８に示すように、当接面３１における支承片１３よりも上方に位置する部分が外壁板２の裏面２Ｂに当接することにより、上側の外壁板２は、屋内方向に向かって位置ずれしないように規制される。その結果、構造体８と、上側の外壁板２の裏面２Ｂとの間にも、通気空間Ｓ１が確保される。
【００５９】
こうして、図１に示すように、取付具１０は、縦目地２Ｖが支承片１３の上側と下側とに位置して上下方向で直線状に連続し、かつ、横目地２Ｈが支承片１３に沿って左右方向で直線状に連続する状態で、下側の外壁板２の上端部と、上側の外壁板２の下端部とを支持する。
【００６０】
＜作用効果＞
実施の形態１の取付具１０、取付具１０と第１防水材７０とのセット、及び壁構造では、下係止片１２が支承片１３の先端部位１３Ａから直接下向きに屈曲し、一対の上係止片１１Ｌ、１１Ｒが支承片１３の先端部位１３Ａから直接上向きに屈曲し、支承片１３の幅方向において下係止片１２の両側に位置するように設けられている。この取付具１０によって、裏側上下接合部２４及び表側上下接合部２３を有する外壁板２が構造体８に取り付けられると、下係止片１２は、左右方向で隣接する外壁板２同士の裏側上下接合部２４を係止し、支承片１３は、上側に位置する外壁板２を支承し、一対の上係止片１１Ｌ、１１Ｒは、上側に位置する外壁板２の表側上下接合部２３を係止する。
【００６１】
ここで、下係止片１２には、下係止片１２よりも下方に延びた第１防水材７０が設けられており、下係止片１２は、一対の上係止片１１Ｌ、１１Ｒに挟まれる位置に設けられている。このため、下係止片１２から、下係止片１２に係止された裏側上下接合部２４同士の突合せ部分２４Ｊにかけて、第１防水材７０の第１部分７１及び第２部分７２を配置することができる。そして、下係止片１２とその突合せ部分２４Ｊとが略同一方向に延びているので、第１防水材７０の第２部分７２は、その突合せ部分２４Ｊに沿って配置されることとなる。これにより、第１防水材７０の第２部分７２は、その突合せ部分２４Ｊに密着することができる。また、第１防水材７０は、上下方向で隣接する外壁板２の表側上下接合部２３と裏側上下接合部２４との間に介在する。その結果、この取付具１０では、図６に矢印Ｙ１、Ｙ２で示すように、外壁板２の表面２Ｆ側から雨水等がその突合せ部分２４Ｊに向けて侵入する場合に、下係止片１２よりも下方に延びた第１防水材７０がその雨水等を堰き止めることができる。
【００６２】
また、第１防水材７０の幅方向の長さＷ７０が下係止片１２の幅方向の長さＷ１２よりも小さく、下係止片１２の表面１２Ｆが第１防水材７０の第１部分７１の両側において露出している。これにより、上係止片１１Ｌ、１１Ｒに上側に位置する外壁板２を係止すると、第１防水材７０の両側には、上側に位置する外壁板２の裏面２Ｂと、下係止片１２の表面１２ＦＬ、１２ＦＲとの間に、図６に示す隙間Ａ１が形成される。このため、図６に矢印Ｙ３で示すように、外壁板２の裏面２Ｂを伝って下係止片１２に向かって垂れる雨水等は、第１防水材７０に堰き止められることなく、第１防水材７０の両側に形成された隙間Ａ１を通過し、外壁板２の裏側上下接合部２４を経由して、外壁板２の表面２Ｆ側に排出されることとなる。その結果、この取付具１０では、外壁板２の裏面２Ｂ側を伝って垂れる雨水等が支承片１３を経由して構造体８に侵入することを抑制できる。
【００６３】
したがって、実施の形態１の取付具１０、取付具１０と第１防水材７０とのセット、及び壁構造では、構造体８に取り付けられた外壁板２の防水性能を向上させることができる。
【００６４】
また、実施の形態１の施工方法では、第１工程及び第２工程により、構造体８に取り付けられた外壁板２の防水性能を向上させることができる壁構造を容易に施工することができる。
【００６５】
また、実施の形態１の取付具１０では、外壁板２の施工前に第１防水材７０の第１部分７１が下係止片１２に接着されている構成とすることで、外壁板２の施工時、第１防水材７０の装着忘れを防止できる。
【００６６】
さらに、実施の形態１の取付具１０、取付具１０と第１防水材７０とのセット、及び壁構造では、接着層７９によって、第１防水材７０の第２部分７２が裏側上下接合部２４同士の突合せ部分２４Ｊに接着される。これにより、第１防水材７０の第２部分７２がその突合せ部分２４Ｊからずれ難くなるので、外壁板２の防水性能を一層向上させることができる。
【００６７】
また、実施の形態１の取付具１０、取付具１０と第１防水材７０とのセット、及び壁構造では、一対の第２防水材８０Ｌ、８０Ｒは、支承片１３の幅方向において第１防水材７０の両側に、第１防水材７０と離れて設けられている。そして、下係止片１２の表面１２Ｆは、第１防水材７０と両第２防水材８０Ｌ、８０Ｒの間で露出している。これにより、図６に矢印Ｙ３で示すように、外壁板２の裏面２Ｂを伝って下係止片１２に向かって垂れる雨水等が第１防水材７０の両側に形成された隙間Ａ１を通過する際、第２防水材８０Ｌ、８０Ｒがその雨水等の幅方向の移動を規制し、その雨水等を確実性高く外壁板２の表面２Ｆ側に移動させる。その結果、その雨水等が支承片１３を伝わって構造体８に侵入することを一層抑制できる。
【００６８】
さらに、実施の形態１の壁構造では、コーキング２４Ｓを越えて下方に延びている第１防水材７０の第２部分７２が裏側上下接合部２４同士の突合せ部分２４Ｊを確実に覆うことができるので、外壁板２の防水性能を一層向上させることができる。
【００６９】
（実施の形態２）
図９に示すように、実施の形態２の壁構造では、外壁板２は、所謂、うま張りされている点が実施の形態１の壁構造と相違している。この壁構造は、実施の形態１に係る取付具１０、又は取付具１０と第１防水材７０とのセットを用いて、実施の形態１に係る施工方法と同様の手順により施工される。
【００７０】
より詳しくは、取付具１０は、周知の取付具９０等とともに、構造部材としての各柱部材９に固定されて、構造体８に対し、複数の外壁板２を上下方向及び左右方向に隣接するように取り付けている。
【００７１】
図９に示す外壁板２の取付構成では、上下方向で隣り合う各外壁板２によって形成される複数の横目地２Ｈは、直線状に連続している。その一方、左右方向で隣り合う各外壁板２によって形成される複数の縦目地２Ｖは、互い違いに配列されて、連続していない。
【００７２】
取付具１０は、支承片１３の下側に縦目地２Ｖが位置する一方、支承片１３の上側に縦目地２Ｖが位置しない位置に配置される。
【００７３】
取付具９０は、支承片１３の上側に縦目地２Ｖが位置する一方、支承片１３の下側に縦目地２Ｖが位置しない位置に配置される。
【００７４】
このような構成である実施の形態２の壁構造でも、実施の形態１の壁構造と同様に、構造体８に取り付けられた外壁板２の防水性能を向上させることができる。
【００７５】
（実施の形態３）
図１０に示すように、実施の形態３の取付具３１０は、鉄やステンレススチール等の金属板が打ち抜き加工、プレス加工及び折り曲げ加工等されることによって製造される。なお、取付具３１０の材質や製造方法は上記に限定されず、各種の材料や、製造方法を適宜選択できる。
【００７６】
固定部３１５は、正面視した場合に略矩形状とされた略平板部分である。柱部材９等と接触する取付具３１０の裏側を向く面は、固定部３１５の基準面３１５Ｓとされている。固定部３１５には、複数の固定孔３１５Ｈが設けられている。固定孔３１５Ｈは、ネジ１０Ｂや釘等の締結具が挿通されて取付具３１０を柱部材９等に固定するためのものである。
【００７７】
支承片３１３は、固定部３１５の下端縁に接続する板状部分が折り曲げられることにより形成されている。支承片３１３は、固定部３１５の下端縁から取付具３１０の表側に向かって突出している。
【００７８】
下係止片３１２は、支承片３１３の先端部位３１３Ａにおける幅方向の中央で直接下向きに屈曲する板状片である。左方の上係止片３１１Ｌは、支承片３１３の先端部位３１３Ａにおける下係止片３１２から左方に離間する位置で直接上向きに屈曲する板状片である。右方の上係止片３１１Ｒは、支承片３１３の先端部位３１３Ａにおける下係止片３１２から右方に離間する位置で直接上向きに屈曲する板状片である。つまり、上係止片３１１Ｌ、３１１Ｒは、支承片３１３の幅方向において下係止片３１２の両側に位置している。
【００７９】
支承片３１３には、保持片３１８Ｌ、３１８Ｒが設けられている。左方の保持片３１８Ｌは、下係止片３１２と、左方の上係止片３１１Ｌとの間で、支承片３１３の先端部位３１３Ａから上向きに屈曲する小片である。右方の保持片３１８Ｒは、下係止片３１２と、右方の上係止片３１１Ｒとの間で、支承片３１３の先端部位３１３Ａから上向きに屈曲する小片である。
【００８０】
実施の形態１に係る第１防水材７０は、実施の形態３の取付具３１０にも使用される。第１防水材７０は、下係止片３１２に設けられ、下係止片３１２よりも下方に延びている。第１防水材７０の幅方向の長さＷ７０は、下係止片３１２の幅方向の長さＷ３１２よりも小さく設定されている。第１防水材７０の下係止片３１２に設けられる部分を第１部分３７１とする。第１防水材７０の下係止片３１２よりも下方に延びた部分を第２部分３７２とする。
【００８１】
第１防水材７０の第１部分３７１は、接着層７９によって、下係止片３１２の表面３１２Ｆに貼り付けられている。また、第１防水材７０の第１部分３７１は、支承片３１３の先端部位３１３Ａで屈曲して固定部３１５に向かって延び、接着層７９によって、支承片３１３の上面に貼り付けられている。第１防水材７０の第１部分３７１は、支承片３１３の幅方向の中央で、下係止片３１２の表面３１２Ｆと、支承片３１３の上面とに貼り付けられている。第１防水材７０の幅方向の長さＷ７０が下係止片３１２の幅方向の長さＷ３１２よりも小さく設定されていることにより、下係止片３１２の表面３１２Ｆは、第１防水材７０の第１部分３７１の両側において露出している。第１部分３７１の左方で露出している下係止片３１２の表面が３１２ＦＬであり、第１部分３７１の右方で露出している下係止片３１２の表面が３１２ＦＲである。
【００８２】
第１防水材７０の第２部分３７２の裏面に形成された接着層７９は、下係止片３１２よりも下方において、剥離シート７０Ｓによって保護されている。
【００８３】
実施の形態に係る一対の第２防水材８０Ｌ、８０Ｒは、実施の形態３の取付具３１０にも使用される。一対の第２防水材８０Ｌ、８０Ｒは、両面テープ等によって、保持片３１８Ｌ、３１８Ｒに貼り付けられている。つまり、一対の第２防水材８０Ｌ、８０Ｒは、支承片３１３の幅方向において第１防水材７０の第１部分３７１の両側に、第１防水材７０の第１部分３７１と離れて設けられている。そして、下係止片３１２の表面３１２Ｆは、第１防水材７０と両第２防水材８０Ｌ、８０Ｒの間で露出している。第１防水材７０と左方の第２防水材８０Ｌの間で露出している下係止片３１２の表面が３１２ＦＬであり、第１防水材７０と右方の第２防水材８０Ｒとの間で露出している下係止片３１２の表面が３１２ＦＲである。
【００８４】
左方の側壁３３８Ｌは、固定部３１５の左端縁に接続する板状部分が取付具３１０の表側に向かって折り曲げられることにより形成されている。右方の側壁３３８Ｒは、固定部３１５の右端縁に接続する板状部分が取付具３１０の表側に向かって折り曲げられることにより形成されている。側壁３３８Ｌ、３３８Ｒは、上下方向に延在しており、支承片３１３の上面側に位置する部分と、支承片３１３の下面側に位置する部分とを含んでいる。
【００８５】
左方の第１当接部３３１Ｌは、支承片３１３よりも上方で、左方の側壁３３８Ｌの先端縁に接続する板状部分が左方に折り曲げられることにより形成されている。右方の第１当接部３３１Ｒは、支承片３１３よりも上方で、右方の側壁３３８Ｒの先端縁に接続する板状部分が右方に折り曲げられることにより形成されている。第１当接部３３１Ｌ、３３１Ｒは、基準面３１５Ｓと平行な平板状に延在している。
【００８６】
左方の第２当接部３３２Ｌは、支承片３１３よりも下方で、左方の側壁３３８Ｌの先端縁に接続する板状部分が右方に折り曲げられることにより形成されている。右方の第２当接部３３２Ｒは、支承片３１３よりも下方で、右方の側壁３３８Ｒの先端縁に接続する板状部分が左方に折り曲げられることにより形成されている。第２当接部３３２Ｌ、３３２Ｒは、基準面３１５Ｓと平行な平板状に延在している。
【００８７】
図示は省略するが、下係止片３１２は、左右方向で隣接する外壁板２同士の裏側上下接合部２４を係止する。第１防水材７０の第２部分３７２は、裏側上下接合部２４同士の突合せ部分２４Ｊを覆う。上係止片３１１Ｌ、３１１Ｒは、上側に位置する外壁板２の表側上下接合部２３の係合凹部２３Ａを係止する。支承片１３は、上側の外壁板２の下端部に下方から接触することによって、上側の外壁板２を支承する。第１当接部３３１Ｌ、３３１Ｒ及び第２当接部３３２Ｌ、３３２Ｒは、外壁板２の裏面２Ｂに当接する。
【００８８】
このような構成である実施の形態３の取付具３１０でも、実施の形態１の取付具１０と同様に、構造体８に取り付けられた外壁板２の防水性能を向上させることができる。
【００８９】
また、一対の第２防水材８０Ｌ、８０Ｒのみが装着された取付具３１０と、剥離シート７０Ｓが付いた別部材としての第１防水材７０とのセットについても、同様に、構造体８に取り付けられた外壁板２の防水性能を向上させることができる。
【００９０】
以上において、本発明の形態を実施の形態１〜３に即して説明したが、本発明の形態は上記実施の形態１〜３に制限されるものではなく、その趣旨を逸脱しない範囲で適宜変更して適用できることはいうまでもない。
【００９１】
例えば、接着層は、第１防水材の下係止片よりも下方に延びた部分の裏面に予め形成されてもよいし、施工時に、接着剤を塗布してもよい。
【符号の説明】
【００９２】
８…構造体
２…外装材（外壁板）
１０、３１０…取付具
１５、３１５…固定部
１３、３１３…支承片
１３Ａ、３１３Ａ…支承片の先端部位
１２、３１２…下係止片
１１Ｌ、１１Ｒ、３１１Ｌ、３１１Ｒ…一対の上係止片
７０…第１防水材
Ｗ７０…第１防水材の幅方向の長さ
Ｗ１２、Ｗ３１２…下係止片の幅方向の長さ
１２Ｆ、３１２Ｆ…下係止片の表面
７９…接着層
７２、３７２…第１防水材の下係止片よりも下方に延びた部分（第２部分）
８０Ｌ、８０Ｒ…一対の第２防水材
２Ｆ…外装材の表面（外壁板の表面）
２Ｂ…外装材の裏面（外壁板の裏面）
２４…裏側上下接合部
２４Ｊ…下係止片に係止された裏側上下接合部同士の突合せ部分
２３…表側上下接合部
２２Ｓ、２４Ｓ…コーキング
【図１】
2018150768.tif 000003
【図２】
2018150768.tif 000004
【図３】
2018150768.tif 000005
【図４】
2018150768.tif 000006
【図５】
2018150768.tif 000007
【図６】
2018150768.tif 000008
【図７】
2018150768.tif 000009
【図８】
2018150768.tif 000010
【図９】
2018150768.tif 000011
【図１０】
2018150768.tif 000012